(57)【要約】  複数の基地局（４０１、４０２、４０３）及び複数のユーザ機器（４１１、４１２、４１３）を有するワイヤレス電話通信システムにおいて、一次サービング基地局が、セル間ＣＲＳリソース要素（ＲＥ）ロケーションでゼロエネルギーを備えたＰＤＳＣＨ（物理的ダウンリンク共用チャネル）（即ち、ミュートされたＰＤＳＣＨ）を送信する。第１の物理的リソースブロック（ＰＲＢ  ０）内で、周波数ドメイン内のＲＥ位置は０と１１の間でインデックスされる。アンテナポート毎のミュートされたＰＤＳＣＨ  ＲＥ位置は、セルＩＤｉ以外の全ての協調マルチポイント（ＣｏＭＰ）セルのセル識別（ＩＤ）を用いて演算される。本発明は、ミュートが生じる直交周波数分割多重（ＯＦＤＭ）シンボルを定義する。
2013524646.tif 000002
【特許請求の範囲】
【請求項１】
各々複数のアンテナポート及び複数のモバイルユーザー機器を有する複数の基地局を有するワイヤレス電話システムにおけるセル間チャネル品質情報（ＣＳＩ）推定の方法であって、各モバイルユーザー機器が一次サービング基地局を有し、少なくとも１つのモバイルユーザー機器が、その一次サービング基地局ではない基地局に対し協調マルチポイント受信関係を有し、前記方法が、
その物理的ダウンリンク共用チャネル（ＰＤＳＣＨ）で前記少なくとも１つのユーザー機器に、対応する一次サービング基地局から各ノンサービング基地局のリソース要素（ＲＥ）ロケーションでゼロエネルギーを有するミュートＰＤＣＳＨを送信する工程であって、前記一次サービング基地局から各送信アンテナポートのセル固有参照シンボル（ＣＲＳ）ロケーションでのミュートされたＰＤＳＣＨ  ＲＥ位置が、下記のように求められ、
Ｍｙ＝｛６×ｋ＋［３×ｍｙ＋Ｃｅｌｌ  ＩＤ  （Ｃｏｍｐ  Ｃｅｌｌｊ）  ｍｏｄｕｌｏ  ６］｝ｍｏｄｕｌｏ  １２
ここで、Ｍｙがアンテナポートｙの前記ミュートされたＰＤＳＣＨ  ＲＥであり、ｋが０又は１であり、ここで、ｋが、任意の送信アンテナポートｙに対し０又は１のいずれかの値をとり、ｙが選択されたアンテナポートのインデックス数であり、ｍｙが０又は１であり、ここで、ｍｙがＰＤＳＣＨミュートに対しどの直交周波数分割多重（ＯＦＤＭ）シンボルが構成されているかに依存する値をとり、ｊ＝１、２，．．．Ｎであり、ここでＮが前記少なくとも１つのユーザー機器に対し協調マルチポイント受信関係を有する基地局の数であり、ｊが前記一次サービング基地局のセルＩＤに等しくない、前記送信する工程、
前記ミュートされたＰＤＳＣＨのセル間ＣＳＲパイロットロケーション周りのそのＰＤＳＣＨの前記一次サービング基地局でレートマッチングを実行する工程、及び
前記少なくとも１つのユーザー機器に対し協調マルチポイント受信関係を有する選択された基地局に関連して、前記少なくとも１つのユーザー機器がセル間ＣＳＩ推定を実行する工程、
を含む、方法。
【請求項２】
請求項１に記載の方法であって、前記送信する工程が、ＰＤＳＣＨミュートが生じるＯＦＤＭシンボルで全帯域幅にわたり任意のＰＤＳＣＨミュートイネーブルされたサブフレームにおけるセル間ＣＲＳでＰＤＳＣＨミュートを送信する、方法。
【請求項３】
請求項２に記載の方法であって、前記送信する工程が、全てのＲＢに対し所定のリソースブロック（ＲＢ）内の関連するロケーションを有する前記ミュートされたＰＤＳＣＨ  ＲＥを送信する、方法。
【請求項４】
請求項３に記載の方法であって、前記送信する工程が、ミュートされたＰＤＳＣＨ  ＲＥを、前記少なくとも１つのユーザー機器に対し協調マルチポイント受信関係を有する全ての基地局から異なるミュートイネーブルされたサブフレームにわたり物理的リソースブロック（ＰＲＢ）内で送信する、方法。
【請求項５】
請求項１に記載の方法であって、セル間ＰＤＳＣＨミュートサブフレームオフセット及び時間ドメイン周期性を特定するユーザー機器信号の前記一次サービング基地局から前記少なくとも１つのユーザー機器へ周期的に送信する工程を更に含む、方法。
【請求項６】
請求項５に記載の方法であって、セル間ＰＤＳＣＨミュートサブフレームオフセット及び時間ドメイン周期性を特定する信号を周期的に送信する前記工程が、前記少なくとも１つのユーザー機器のセル固有の第１及び第２の信号のＰＤＳＣＨでセミスタティックシグナリングを介して送信し、
前記第１の信号が、セル間ＣＳＩ推定のためのＰＤＳＣＨミュートが生じるサブフレームオフセットを識別する４ビットを有し、更に、
前記第２の信号が、ＰＤＳＣＨミュートイネーブルされたサブフレームの時間ドメイン周期性を識別する２ビットを有する、
方法。
【請求項７】
請求項５に記載の方法であって、セル間ＰＤＳＣＨミュートサブフレームオフセット及び時間ドメイン周期性を特定する信号を周期的に送信する前記工程が、前記少なくとも１つのユーザー機器のセル固有のＰＤＳＣＨでセミスタティックシグナリングを介して、
セル間ＣＳＩ推定のためのＰＤＳＣＨミュートが生じるサブフレームオフセットを識別する４ビットを有する第１の部分、及び
ＰＤＳＣＨミュートイネーブルされたサブフレームの時間ドメイン周期性を識別する２ビットを有する第２の部分、
からなる、共に符号化される信号を送信する、
方法。
【請求項８】
請求項１に記載の方法であって、前記送信する工程が、ミュートされたＰＤＳＣＨを、周波数ホッピングパターンに従って所定のＰＲＢ内で任意のＰＤＳＣＨイネーブルされたサブフレームで送信する、方法。
【請求項９】
請求項８に記載の方法であって、前記周波数ホッピングパターンがｋの値を決定する、方法。
【請求項１０】
請求項１に記載の方法であって、前記送信する工程が、ｍ×Ｎ  ＲＥ／ＲＢ／送信アンテナポートに等しいミュートされたＰＤＳＣＨ  ＲＥの密度を有するミュートされたＰＤＳＣＨを送信し、ここで、ｍが各ＲＢ内のアンテナポート毎のミュートされたＰＤＳＣＨ  ＲＥの数であり、Ｎが協調する二次セルの数である、方法。
【請求項１１】
請求項１に記載の方法であって、前記送信する工程が、ミュートされたＰＤＳＣＨを、同一のＯＦＤＭシンボルで協調マルチポイント（ＣｏＭＰ）セット内かつ同一のミュートイネーブルされたサブフレーム内の全てのセルに対するセル間ＣＲＳで送信する、方法。
【請求項１２】
請求項１に記載の方法であって、前記送信する工程が、ミュートされたＰＤＳＣＨを、前記少なくとも１つのユーザー機器に既知の所定の時間ホッピングシーケンスに従ったセル間ＣＲＳロケーションで任意のＰＤＳＣＨイネーブルされたサブフレームで送信する、方法。
【請求項１３】
請求項１に記載の方法であって、前記一次基地局、及び前記少なくとも１つのユーザー機器に対し協調マルチポイント受信関係を有する各基地局が、このようなセルが各他のこのようなセルのロケーションを推測できるようにするリソースブロックグリッドについてのミュートパターン情報を交換する工程を更に含む、方法。
【発明の詳細な説明】
【技術分野】
【０００１】
本発明の技術分野は、ワイヤレス電話通信などのワイヤレス通信である。
【背景技術】
【０００２】
将来のワイヤレス電話システムは、各セルサイト内の多数セルにわたって又はマルチプルセルサイトにわたって協調された伝送を用い得る。これは、協調マルチポイント（ＣｏＭＰ：Coordinated
Multipoint）受信と呼ばれる。ＣｏＭＰオペレーションは、単一セルのみを用いてサービングされるためこれまでの質の低いカバレッジを経験しているＵＥに対するカバレッジを向上させる。ＣｏＭＰによる利点を得るＵＥは、アドバンストＵＥと示される。
【０００３】
ＣｏＭＰオペレーションは、アドバンストユーザー機器（ＵＥ）での正確なチャネル状態情報（ＣＳＩ）知識を要する。ＣＳＩは、各協調セル（ＣｏＭＰセル）とアドバンストＵＥとの間の多次元チャネルマトリックスを指す。
【０００４】
アドバンストＵＥが単一の一次サービングセルとそれらの送信を協調させるＮ個の二次セルとを有すると仮定する。対象のアドバンストＵＥをサービングする協調セルセットは、｛ＣｏＭＰ  Ｃｅｌｌ０，ＣｏＭＰ  Ｃｅｌｌ１，．．．，ＣｏＭＰ  ＣｅｌｌＮ｝と示される。従来の標準では、協調セルはないためＮ＝０である。
【発明の概要】
【０００５】
ＣｏＭＰセル０第１サービングセルであるｅＮｏｄｅＢは、セル間ＣＲＳリソース要素ロケーションのセットでゼロエネルギーで物理的ダウンリンク共用チャネル（ＰＤＳＣＨ）を送信する。これは、セル間ＣＲＳパイロットロケーションでのＰＤＳＣＨミュートと呼ばれる。第１の物理的リソースブロック（ＰＲＢ  ０）内で、周波数ドメイン内のリソース要素（ＲＥ）ロケーションは、０と１１の間でインデックスされる。アンテナポート毎のミュートされたＰＤＳＣＨ  ＲＥ位置は、セルＩＤｉ以外の全てのＣｏＭＰセルのセルＩＤを用いて演算される。ミュートが生じる直交周波数分割多重（ＯＦＤＭ）シンボルは、下記に更に定義される。
【０００６】
セル間ＣＲＳパイロットロケーションでのミュートは２つの目的を果たす。これは、ＣｏＭＰセル０によりサービングされるＵＥが、ＣｏＭＰセルｊ≠０のセットに対するそのＣＳＩを測定することを助ける。これは、ＣｏＭＰセルｊ≠０がＣｏＭＰセル０のＣＲＳ位置でのそれらのＰＤＳＣＨ干渉の低減に役立つ。これらの利点により、ＵＥがＣｏＭＰセル０に対するそのＣＳＩを一層正確に測定することが可能となる。
【０００７】
数学的に、任意のリソースブロック（ＲＢ）内の送信アンテナポート毎のミュートされたＰＤＳＣＨ  ＲＥ位置は下記のように求められる。
Ｍｙ＝｛６×ｋ＋［３×ｍｙ＋Ｃｅｌｌ  ＩＤ  （Ｃｏｍｐ  Ｃｅｌｌｊ）  ｍｏｄｕｌｏ  ６］｝ｍｏｄｕｌｏ  １２
ここで、ＭｙはアンテナポートｙのミュートされたＰＤＳＣＨ  ＲＥであり、ｋは０又は１であり、ｙは０〜３であり、ｍｙは０又は１であり、ｊ＝１，２，．．．Ｎである。パラメータｋは、任意の送信アンテナポートｙに対し０又は１のいずれかの値をとる。アンテナポートｙに対するｍｙの値は、ＰＤＳＣＨミュートに対しどのＯＦＤＭシンボルが構成されるかに依存する。ミュートされたＰＤＳＣＨ  ＲＥの相対的な位置は、所定のサブフレーム内の異なるリソースブロックにわたり同じままである。
本発明のこれらの及び他の側面を図面に示す。
【図面の簡単な説明】
【０００８】
【図１】図１は、本願を適用可能な例示の従来技術のワイヤレス通信システムを図示する。
【図２】図２は、従来技術のＥ−ＵＴＲＡ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）時分割多重（ＴＤＤ）フレーム構造を示す。
【図３】図３は、セル間セル固有参照シンボル（ＣＲＳ）での物理的ダウンリンク共用チャネル（ＰＤＳＣＨ）ミュートを備えたサブフレームのデューティ・サイクルの一例を図示する。
【図４】図４は典型的な送信シナリオを図示する。
【図５】図５は、それぞれのユーザー機器５１１、５１２、及び５１３の一次サービングセルとして動作する３つの協調マルチポイント（ＣｏＭＰ）受信セルを図示する。
【図６】図６は、４つのアンテナポートの送信アンテナポート０のＰＤＳＣＨミュートパターンを図示する。
【図７】図７は、４つのアンテナポートの送信アンテナポート１のＰＤＳＣＨミュートパターンを図示する。
【図８】図８は、４つの送信ポートの送信アンテナポート２のＰＤＳＣＨミュートパターンを図示する。
【図９】図９は、４つの送信ポートの送信アンテナポート３でのＰＤＳＣＨミュートパターンを図示する。
【図１０】図１０は、２つの送信ポートの送信アンテナポート０のＰＤＳＣＨミュートパターンを図示する。
【図１１】図１１は、２つの送信ポートの送信アンテナポート１のＰＤＳＣＨミュートパターンを図示する。
【図１２】図１２は、本発明を実装するのに適した図１のネットワークシステム内の基地局及びモバイルユーザー機器の内部詳細を図示するブロック図である。
【発明を実施するための形態】
【０００９】
図１は、例示のワイヤレステレコミュニケーションネットワーク１００を示す。この例示のテレコミュニケーションネットワークは基地局１０１、１０２、及び１０３を含むが、オペレーションにおいて、テレコミュニケーションネットワークは、必然的に更に多くの基地局を含む。基地局１０１、１０２、及び１０３（ｅＮＢ）は、対応するカバレッジエリア１０４、１０５、及び１０６にわたって動作可能である。各基地局のカバレッジエリアは更にセルに分割される。図示したネットワークでは、各基地局のカバレッジエリアは３つのセルに分割される。ハンドセット又は他のユーザー機器（ＵＥ）１０９をセルＡ１０８に示す。セルＡ１０８は、基地局１０１のカバレッジエリア１０４内にある。基地局１０１は、ＵＥ１０９へ送信し、かつＵＥ１０９からの送信を受信する。ＵＥ１０９がセルＡ１０８から出てセルＢ１０７内へ移動するにつれて、ＵＥ１０９は、基地局１０２へハンドオーバーされ得る。ＵＥ１０９は基地局１０１と同期化されるため、ＵＥ１０９は、基地局１０２へのハンドオーバーを開始するため非同期化ランダムアクセスを用いることができる。
【００１０】
非同期化ＵＥ１０９はまた、時間又は周波数又はコードリソースのアップリンク１１１の割り当てを要求するために非同期ランダムアクセスを用いる。ＵＥ１０９が、送信の準備ができている、これはトラフィックデータ、測定値レポート、トラッキングエリア更新であり得る、データを有する場合、ＵＥ１０９は、アップリンク１１１でランダムアクセス信号を送信することができる。このランダムアクセス信号は、ＵＥ１０９がＵＥデータを送信するアップリンクリソースを要求していることを基地局１０１に通知する。基地局１０１は、可能なタイミング誤り訂正と共にＵＥ１０９アップリンク送信に割り当てられたリソースのパラメータを含むメッセージを、ダウンリンク（ＤＬ）１１０を介してＵＥ１０９へ送信することにより応答する。基地局１０１によりダウンリンク（ＤＬ）１１０で送信されるリソース割り当てと可能なタイミングアドバンスメッセージとを受け取った後、ＵＥ１０９は、任意でその送信タイミングを調節し、所定のタイムインターバルの間割り当てられたリソースを用いてアップリンク１１１でデータを送信する。
【００１１】
基地局１０１は、周期的アップリンクサウンディング参照信号（ＳＲＳ）送信のためにＵＥ１０９を構成する。基地局１０１は、ＳＲＳ送信からアップリンクチャネル品質情報（ＣＳＩ）を推定する。
【００１２】
図２は、Ｅ−ＵＴＲＡ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）時分割多重（ＴＤＤ）フレーム構造を示す。ダウンリンク（ＤＬ）又はアップリンク（ＵＬ）送信に対し異なるサブフレームが割り当てられる。表１は、適用可能なＤＬ／ＵＬサブフレーム割り当てを示す。
【表１】
2013524646.tif 000003
【００１３】
将来のワイヤレス電話システムは、各セルサイト内の多数セルにわたって又は多数セルサイトにわたって協調された送信を用い得る。これは、協調マルチポイント（ＣｏＭＰ：Ｃｏｏｒｄｉｎａｔｅｄ  Ｍｕｌｔｉｐｏｉｎｔ）受信と呼ばれる。ＣｏＭＰオペレーションは、単一セルのみを用いることによるこれまでの質の低いカバレッジを経験しているＵＥに対するカバレッジを向上させる。ＣｏＭＰの利点を得るＵＥは、アドバンストＵＥと示される。
【００１４】
ＣｏＭＰオペレーションは、アドバンストＵＥでの正確なチャネル状態情報（ＣＳＩ）知識を要する。ＣＳＩは、各協調セル（ＣｏＭＰセル）とアドバンストＵＥとの間の多次元チャネルマトリックスである。本発明は、ノンサービングセルのセットのセル固有参照シンボル（ＣＲＳ）パイロットロケーションにわたりＰＤＳＣＨミュート方式を用いる。セル間ＣＲＳパイロットロケーションでのミュートは２つの目的を果たす。これは、ＣｏＭＰセル０によりサービングされるＵＥが、ＣｏＭＰセルｊ≠０のセットに対するそのＣＳＩを測定することを助ける。これは、ＣｏＭＰセルｊ≠０が、ＣｏＭＰセル０のＣＲＳ位置でのそれらのＰＤＳＣＨ干渉の低減に役立つ。これらの利点により、ＵＥがＣｏＭＰセル０に対するそのＣＳＩを一層正確に測定することが可能となる。
【００１５】
アドバンストＵＥが単一の一次サービングセルとそれらの送信を協調させるＮ個の二次セルとを有すると仮定する。対象のアドバンストＵＥをサービングする協調セルセットは、｛ＣｏＭＰ  Ｃｅｌｌ０，ＣｏＭＰ  Ｃｅｌｌ１，．．．，ＣｏＭＰ  ＣｅｌｌＮ｝と示される。従来の標準では、協調セルはないためＮ＝０である。
【００１６】
提案する標準では、協調セルの数Ｎは４を超えることはできない。この制限は、ＣＲＳに対するセルＩＤモジュロ６パターンにより強いられる。普遍性を失うことなく、本願は２つのＣｏＭＰセルを想定し、そのためＮ＝２である。本願において、ＣｏＭＰセル０とは、アドバンストＵＥの第１サービングセルを指す。本願は、ＣｏＭＰオペレーションのために構成されるアドバンストＵＥが、ＣｏＭＰセット内の全てのＮ個のＣｏＭＰセルのセルＩＤの知識を有すると仮定する。
【００１７】
下記は、ＣｏＭＰ受信のために構成されるアドバンストＵＥでセル間ＣＳＩ推定を実行するための、提案する物理的ダウンリンク共用チャネル（ＰＤＳＣＨ）リソース要素（ＲＥ）ミュート方式である。
【００１８】
第１の実施例において、ＣｏＭＰセル０第１サービングセルであるｅＮｏｄｅＢが、セル間ＣＲＳリソース要素ロケーションのセットでゼロエネルギーを有するＰＤＳＣＨを送信する。これは、セル間ＣＲＳパイロットロケーションでのＰＤＳＣＨ  ＲＥミュートと呼ばれる。第１の物理的リソースブロック（ＰＲＢ  ０）内で、周波数ドメイン内のＲＥ位置は、０と１１の間でインデックスされる。アンテナポート毎のミュートされたＰＤＳＣＨ  ＲＥ位置は、第１サービングセルＩＤ以外の全てのＣｏＭＰセルのセルＩＤを用いて演算される。ミュートが生じる直交周波数分割多重（ＯＦＤＭ）シンボルを下記に更に定義する。
【００１９】
数学的に、送信アンテナポート毎のミュートされたＰＤＳＣＨ  ＲＥ位置は下記のように求められる。
Ｍｙ＝｛６×ｋ＋［３×ｍｙ＋Ｃｅｌｌ  ＩＤ  （Ｃｏｍｐ  Ｃｅｌｌｊ）  ｍｏｄｕｌｏ  ６］｝ｍｏｄｕｌｏ  １２
ここで、ＭｙはアンテナポートｙのミュートされたＰＤＳＣＨ  ＲＥであり、ｋは０又は１であり、ｙは０〜３であり、ｍｙは０又は１であり、ｊ＝１，２，．．．Ｎである。パラメータｋは、任意の送信アンテナポートｙに対し０又は１のいずれかの値をとる。アンテナポートｙに対するｍｙの値は、ＰＤＳＣＨミュートに対しどのＯＦＤＭシンボルが構成されるかに依存する。これらは下記に更に定義する。
【００２０】
第２の実施例において、ｅＮｏｄｅＢは、セル間ＣＲＳパイロットロケーションのセットでのそのミュートされたＰＤＳＣＨ  ＲＥロケーション周りでレートマッチングを実行する。これらは、ＣｏＭＰオペレーションの利点を得るアドバンストＵＥに既知である。ＰＤＳＣＨ  ＲＥミュート手順から生じるアドバンストＵＥでは性能劣化はみられない。
【００２１】
第３の実施例は、任意のＰＤＳＣＨミュートイネーブルされたサブフレームにおけるセル間ＣＲＳでＰＤＳＣＨミュートを用いる。これは、ＰＤＳＣＨミュートが生じるＯＦＤＭシンボルで全帯域幅にわたって生じる。ミュートイネーブルされたサブフレーム内で、ミュートされたＰＤＳＣＨ  ＲＥ（所定のＲＢ内）の関連するロケーションは、１つのＲＢから次のＲＢで同じままであり得る。ＣｏＭＰセルは、異なるミュートイネーブルされたサブフレームにわたりＰＲＢ内のそれらのミュートされたＰＤＳＣＨ  ＲＥの関連するロケーションを変えるよう選択し得る。
【００２２】
本願は、セル間ＣＲＳでのＰＤＳＣＨミュートを備えたサブフレームのデューティ・サイクルがｄ  ｍｓ／フレームに等しいと仮定する。サービングｅＮｏｄｅＢ（セル０）は、フレームにつきｄミリ秒毎にＰＤＳＣＨミュートを実行する。ＰＤＳＣＨミュートが生じるこれらのサブフレームは、ＰＤＳＣＨミュートイネーブルされたサブフレームと呼ばれる。図３は一例を図示する。フレーム３００は１０ｍｓからなる。サブフレームｋ３０１は、フレーム３００につき１度生じる。サブフレームｋ３０１の長さは１ｍｓである。ＰＤＳＣＨミュートイネーブルされたサブフレームのデューティ・サイクル（時間ドメイン周期性）は１０ｍｓに等しい。
【００２３】
図４は典型的な送信シナリオを図示する。サービングｅＮｏｄｅＢは、セル間ＰＤＳＣＨミュートサブフレームオフセット及び時間ドメイン周期性を特定する信号を送信する。図４は、３つのＣｏＭＰセル４０１、４０２、及び４０３を図示する。３つのＣｏＭＰセル４０１、４０２、及び４０３の各々は、アドバンストＵＥの一次サービングセルである。アドバンストＵＥ０  ４１１は、ＣｏＭＰセル４０１により一次的にサービングされる。アドバンストＵＥ０  ４１２は、ＣｏＭＰセル４０２により一次的にサービングされる。アドバンストＵＥ０  ４１３は、ＣｏＭＰセル４０３により一次的にサービングされる。これらのＣｏＭＰセルは、ＣｏＭＰオペレーションを実行し、これら３つのアドバンストＵＥへのカバレッジを改善する。
【００２４】
第４の実施例において、ｅＮｏｄｅＢは、アドバンストＵＥに２つの信号を送信する。第１の信号を図４ではＳ１で示す。Ｓ１は、セル間ＣＳＩ推定のためのＰＤＳＣＨミュートが生じるサブフレームオフセットを通信する４ビットである。これは０〜９の間の値を示す。第２の信号を図４ではＳ２で示す。Ｓ２は、ＰＤＳＣＨミュートイネーブルされたサブフレームの時間ドメイン周期性を通信する２ビットである。両方の信号Ｓ１及びＳ２は、アドバンストＵＥのＰＤＳＣＨでのセミスタティックシグナリングを介して通信される。両方の信号Ｓ１及びＳ２は、ＣｏＭＰセット内の全てのセルに対しセル固有である（そのセルによりサービングされるＵＥへブロードキャストする）。
【００２５】
上記の第４の実施例の代替例では、ｅＮｏｄｅＢは、Ｓ１及びＳ２を共に符号化し、サブフレームオフセット及び時間ドメイン周期性により与えられるＣＲＳパイロット情報でＰＤＳＣＨミュートを送信する単一の信号Ｓを送信する。
【００２６】
第４の実施例及びその代替例において、サブフレームオフセット及び時間ドメイン周期性信号は、ＣｏＭＰセット内の全てのセルに対しセル固有である。これらの信号は、そのＣｏＭＰセット内のセルによりサービングされるアドバンストＵＥに対し固有である。ＣｏＭＰ受信／セル間ＣＳＩ推定能力を有さないノンアドバンストＵＥは、これらの信号をＲＥＳＥＲＶＥＤとして扱う。このようなノンアドバンストＵＥは、これらの信号を復号又は解釈しない。
【００２７】
任意のＰＤＳＣＨイネーブルされたサブフレームに対する第５の実施例において、ｅＮｏｄｅＢは、周波数ホッピングパターンに従って所定のＰＲＢ内のＲＥでＰＤＳＣＨミュートを実行し得る。周波数ホッピングパターンは、ｋのどの値が選択されるかを決定する。本願の残りではｋ=０であり、周波数ホッピングが実行されないと仮定する。
【００２８】
第６の実施例において、ミュートされたＰＤＳＣＨ  ＲＥの密度は、ｍ×Ｎ  ＲＥ／ＲＢ／送信アンテナポートに等しく、ここで、ｍは各ＲＢ内のアンテナポート毎のミュートされたＰＤＳＣＨ  ＲＥの数であり、Ｎは協調する二次セルの数である。本願の残りでは、ｍ＝１  ＲＥ／ＰＲＢ／ポートであると仮定する。
【００２９】
第７の実施例は、同一のＯＦＤＭシンボル内及び同一のミュートイネーブルされたサブフレーム内で生じる、ＣｏＭＰセット内の全てのセルに対しセル間ＣＲＳでＰＤＳＣＨミュートを用いる。
【００３０】
下記例では、上述の第１から第６の実施例に従ってＰＤＳＣＨミュートが生じると仮定する。下記は、ＰＤＳＣＨミュートイネーブルされたサブフレームでのセル間ＣＲＳ  ＲＥでＰＤＳＣＨミュートに対しどのＯＦＤＭシンボルが構成されるかを決定するための例示の方式である。任意のサブフレームにおいて、ＯＦＤＭシンボルは、シンボル０から始まりシンボル１３までインデックスされる。
【００３１】
第１の例において、ポート０及びポート１でのＰＤＳＣＨミュートは、任意のＰＤＳＣＨミュートイネーブルされたサブフレームにおけるＯＦＤＭシンボル０で生じ得る。ｍｙという用語は、アンテナポートｙに対しｙモジュロ２として選択される。交互に、ポート２及びポート３でのＰＤＳＣＨミュートは、任意のＰＤＳＣＨミュートイネーブルされたサブフレーム内のＯＦＤＭシンボル１で生じ得る。
【００３２】
第２の例において、ポート０及びポート１でのＰＤＳＣＨミュートは、任意のＰＤＳＣＨミュートイネーブルされたサブフレームにおけるＯＦＤＭシンボル０で生じ得る。ｍｙという用語は、ポートｙ＝０又は１に対しｙモジュロ２として選択される。ポートｙ＝２及び３に対し、ｍｙは１−ｙモジュロ２として選択される。交互に、ポート２及びポート３でのＰＤＳＣＨミュートは、任意のＰＤＳＣＨミュートイネーブルされたサブフレームにおけるＯＦＤＭシンボル８で生じ得る。
【００３３】
第３の例において、ポート０及びポート１でのＰＤＳＣＨミュートは、任意のＰＤＳＣＨミュートイネーブルされたサブフレームにおけるＯＦＤＭシンボル０で生じ得る。ｍｙという用語は、ポートｙ＝０又は１に対しｙモジュロ２として選択される。ポートｙ＝２及び３では、ｍｙは１−ｙモジュロ２として選択される。交互に、ポート２及びポート３でのＰＤＳＣＨミュートは、任意のＰＤＳＣＨミュートイネーブルされたサブフレームにおけるＯＦＤＭシンボル８で生じ得る。
【００３４】
第４の例において、ポート０及びポート１でのＰＤＳＣＨミュートは、任意のＰＤＳＣＨミュートイネーブルされたサブフレームにおけるＯＦＤＭシンボル３で生じ得る。ｍｙという用語は、ポートｙ＝０又は１に対し１−ｙモジュロ２として選択される。ポートｙ＝２及び３に対し、ｍｙは１−ｙモジュロ２として選択される。交互に、ポート２及びポート３でのＰＤＳＣＨミュートは、任意のＰＤＳＣＨミュートイネーブルされたサブフレームにおけるＯＦＤＭシンボル８で生じ得る。
【００３５】
第５の例において、ポート０及びポート１でのＰＤＳＣＨミュートは、任意のＰＤＳＣＨミュートイネーブルされたサブフレームにおけるＯＦＤＭシンボル７で生じ得る。ｍｙという用語は、全てのアンテナポートに対しｙモジュロ２として選択される。交互に、ポート２及びポート３でのＰＤＳＣＨミュートは、ＯＦＤＭシンボル７で生じ得る。
【００３６】
第６の例において、ポート０及びポート１でのＰＤＳＣＨミュートは、任意のＰＤＳＣＨミュートイネーブルされたサブフレームにおけるＯＦＤＭシンボル７で生じ得る。ｍｙという用語は、ポートｙ＝０又は１に対しｙモジュロ２として選択される。ポートｙ＝２及び３に対し、ｍｙは１−ｙモジュロ２として選択される。交互に、ポート２及びポート３でのＰＤＳＣＨミュートは、任意のＰＤＳＣＨミュートイネーブルされたサブフレームにおけるＯＦＤＭシンボル８で生じ得る。
【００３７】
第７の例において、ポート０及びポート１でのＰＤＳＣＨミュートは、任意のＰＤＳＣＨミュートイネーブルされたサブフレームにおけるＯＦＤＭシンボル１１で生じ得る。ｍｙという用語は、ポートｙ=０又は１に対し１−ｙモジュロ２として選択される。ポートｙ＝２及び３に対し、ｍｙはｙモジュロ２として選択される。交互に、ポート２及びポート３でのＰＤＳＣＨミュートは、任意のＰＤＳＣＨミュートイネーブルされたサブフレームにおけるＯＦＤＭシンボル１で生じ得る。
【００３８】
第８の例において、ポート０及びポート１でのＰＤＳＣＨミュートは、任意のＰＤＳＣＨミュートイネーブルされたサブフレームにおけるＯＦＤＭシンボル１１で生じ得る。ｍｙという用語は、全てのアンテナポートに対し１−ｙモジュロ２として選択される。交互に、ポート２及びポート３でのＰＤＳＣＨミュートは、任意のＰＤＳＣＨミュートイネーブルされたサブフレームにおけるＯＦＤＭシンボル８で生じ得る。
【００３９】
任意のミュートイネーブルされたサブフレームに対する第９の実施例において、セル間ＣＲＳロケーションでのＰＤＳＣＨミュートは、予め決定される時間ホッピングシーケンスに従って時間ホッピングされ得る。このホッピングシーケンスはアドバンストＵＥに既知である。これらの時間ホッピングシーケンスは、上述の例の１つ又は複数に従って選択されるサブセットである。
【００４０】
第１０の実施例において、ＣｏＭＰセットに属する全てのセルが、リソースブロックグリッドについてのそれらのＣＲＳポートｉ（０≦ｉ≦３）のロケーションなどのミュートパターン情報を交換する。図５はこのシナリオを図示する。図５は、３つのＣｏＭＰセル５０１、５０２、及び５０３を図示する。これら３つのＣｏＭＰセル５０１、５０２、及び５０３の各々は、アドバンストＵＥの一次サービングセルである。アドバンストＵＥ０  ５１１は、ＣｏＭＰセル５０１により一次的にサービングされる。アドバンストＵＥ０  ５１２は、ＣｏＭＰセル５０２により一次的にサービングされる。アドバンストＵＥ０  ５１３は、ＣｏＭＰセル５０３により一次的にサービングされる。これら３つのＣｏＭＰセル５０１、５０２、及び５０３は、ｅＮｏｄｅＢを接続するミュートパターン・バックホール・リンク５２１、５２２、及び５２３を交換する。各セルは、協調セルが、セルＩＤモジュロ６オペレーションを用いて協調セルのＣＲＳポートのロケーションを推測し得るように、そのセルＩＤを協調セルに搬送し得る。
【００４１】
本発明の第１の実施例に従ったサンプルのＰＤＳＣＨミュートパターンに対し、サービングセル（ＣｏＭＰセル０）が、０モジュロ６に等しいセルＩＤを有すると仮定する。このようなセルＩＤは４３２であり得る。更に、第１の他のＣｏＭＰセルが、４３０など４モジュロ６に等しいセルＩＤを有し、第２の他のＣｏＭＰセルが、４３１など５モジュロ６に等しいセルＩＤを有すると仮定する。図６〜図９は、４つのアンテナ送信ポートを有する０モジュロ６に等しいセルＩＤを備えたｅＮｏｄｅＢに対するセル間ＣＲＳでのＰＤＳＣＨミュートパターンを図示する。セル間ＣＲＳロケーションでのＰＤＳＣＨミュートは、Ｎ  ＲＥ／ＰＲＢ／ポートの周波数ドメイン周期性と共に生じると仮定される。Ｎは、サービングｅＮｏｄｅＢを除くＣｏＭＰセルの数であり、２であると仮定される。更に、サービングセル０を含む全てのＣｏＭＰセルが同じ数の送信アンテナポートを有すると仮定する。
【００４２】
図６から図１１において、Ｒｉは、アンテナ送信ポートｉ上のセル内（intra）ＣＲＳに対応する要素であり、Ｒｉｊは、ＣｏＭＰセルｊから送信されたアンテナ送信ポートｉ上のセル間ＣＲＳに対応する要素であり、ｉは、サービングセル内の送信アンテナの数を超えることはできず、ｊは、ＣｏＭＰセルの総数（Ｎ）を超えることはできない。セル間ＲＥロケーションでのミュートされたＰＤＳＣＨ  ＲＥは、明るいライトグレー及び暗いダークグレーで示されている。
【００４３】
図６は、４つのアンテナポートの送信アンテナポート０のＰＤＳＣＨミュートパターンを図示する。
【００４４】
図７は、４つのアンテナポートの送信アンテナポート１のＰＤＳＣＨミュートパターンを図示する。
【００４５】
図８は、４つの送信ポートの送信アンテナポート２のＰＤＳＣＨミュートパターンを図示する。
【００４６】
図９は、４つの送信ポートの送信アンテナポート３のＰＤＳＣＨミュートパターンを図示する。
【００４７】
図１０及び図１１は、２つのアンテナ送信ポートを備えたこのようなｅＮｏｄｅＢの対応するミュートパターンを図示する。
【００４８】
図１０は、２つの送信ポートの送信アンテナポート０のＰＤＳＣＨミュートパターンを図示する。
【００４９】
図１１は、２つの送信ポートの送信アンテナポート１のＰＤＳＣＨミュートパターンを図示する。
【００５０】
上述の第２の例から第８の例に対し同様のミュートパターンを得ることは簡単である。１及び２モジュロ６に等しいセルＩＤに対するミュートパターンを得ることも簡単であり得る。
【００５１】
図１２は、図１のネットワークシステム内のｅＮＢ１００２及びモバイルＵＥ１００１の内部詳細を図示するブロック図である。モバイルＵＥ１００１は、サーバー、デスクトップコンピュータ、ラップトップ・コンピュータ、携帯電話、パーソナルデジタルアシスタント（ＰＤＡ）、スマートフォン、又は他の電子デバイスなど、種々のデバイスの任意のものを表し得る。幾つかの実施例において、電子的モバイルＵＥ１００１は、ＬＴＥ又はＥ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）プロトコルに基づいてｅＮＢ１００２と通信する。代替として、現在既知の又は後に開発される別の通信プロトコルを用いることもできる。
【００５２】
モバイルＵＥ１００１は、メモリ１０１２に結合されるプロセッサ１０１０、及びトランシーバ１０２０を含む。メモリ１０１２は、プロセッサ１０１０による実行のための（ソフトウェア）アプリケーション１０１４をストアする。これらのアプリケーションは、個人又は組織に有用な任意の既知の将来のアプリケーションを含み得る。これらのアプリケーションは、オペレーティング・システム（ＯＳ）、デバイスドライバ、データベース、マルチメディアツール、プレゼンテーションツール、インターネットブラウザ、メーラー、ボイスオーバーインターネットプロトコル（ＶＯＩＰ）ツール、ファイルブラウザ、ファイアーウォール、インスタントメッセージング、ファイナンスツール、ゲーム、ワープロ、又は他のカテゴリーとして分類することができる。アプリケーションの正確な性質に関係なく、これらのアプリケーションの少なくとも幾つかは、トランシーバ１０２０を介して周期的に又は継続的にＵＬ信号をｅＮＢ（基地局）１００２に送信するようモバイルＵＥ１００１に指示し得る。少なくとも幾つかの実施例において、モバイルＵＥ１００１は、ｅＮＢ１００２からアップリンクリソースを要求するとき、サービス品質（ＱｏＳ）要件を識別する。幾つかの場合において、ＱｏＳ要件は、モバイルＵＥ１００１によりサポートされるトラフィックの種類からｅＮＢ１００２により暗示的に導出され得る。一例として、ＶＯＩＰ及びゲームアプリケーションは、ローレイテンシ・アップリンク（ＵＬ）送信に関与することがあり、一方、ハイスループット（ＨＴＰ）／ハイパーテキスト送信プロトコル（ＨＴＴＰ）トラフィックは、ハイレイテンシ・アップリンク送信に関与し得る。
【００５３】
トランシーバ１０２０は、トランシーバのオペレーションを制御する命令の実行により実装され得るアップリンクロジックを含む。これらの命令の幾つかは、メモリ１０１２にストアされ得、プロセッサ１０１０により必要とされるとき実行され得る。当業者には理解され得るように、アップリンクロジックの構成要素は、トランシーバ１０２０の物理（ＰＨＹ）層及び／又は媒体アクセス制御（ＭＡＣ）層に関与し得る。トランシーバ１０２０は、１つ又は複数のレシーバ１０２２及び１つ又は複数のトランスミッタ１０２４を含む。
【００５４】
プロセッサ１０１０は、種々の入力／出力デバイス１０２６とデータを送信または受信し得る。ＳＩＭ（subscriber
identity module）カードが、セルラーシステムを介するコールを成立させるために用いられる情報をストア及びリトリーブする。音声データを送信及び受信するためマイクロフォン及びヘッドセットにワイヤレス接続のためブルートゥースベースバンドユニットが提供され得る。プロセッサ１０１０は、コールプロセスの間モバイルＵＥ１００１のユーザーとの相互作用のため、情報をディスプレイユニットに送信し得る。ディスプレイは、ネットワークから、ローカルカメラから、又はＵＳＢ（ユニバーサルシリアルバス）コネクタなど他のソースから受けとった画像も表示し得る。プロセッサ１０１０は更に、ＲＦトランシーバ１０２０又はカメラを介してセルラーネットワークなど種々のソースから受け取ったビデオストリームをディスプレイに送信し得る。
【００５５】
音声データ又は他のアプリケーションデータの送信及び受信の間、トランスミッタ１０２４は、そのサービングｅＮＢと同期してもよく又は同期していなくてもよい。この場合、これは、ランダムアクセス信号を送信する。この手順の一部として、これは、上記でより詳細に述べたように、サービングｅＮＢによって提供される電力閾値を用いることにより、メッセージと呼ばれる次のデータ送信のための好ましい寸法を決定する。この実施例において、メッセージ好適寸法決定は、プロセッサ１０１０によりメモリ１０１２にストアされた命令を実行することにより具現化される。他の実施例において、メッセージ寸法決定は、例えば、別個のプロセッサ／メモリユニットにより、ハードワイヤード状態機械により、又は他の種類の制御ロジックにより具現化され得る。
【００５６】
ｅＮＢ１００２は、バックプレーンバス１０３６を介してメモリ１０３２、シンボル処理回路１０３８、及びトランシーバ１０４０に結合されるプロセッサ１０３０を含む。メモリは、プロセッサ１０３０による実行のためのアプリケーション１０３４をストアする。これらのアプリケーションは、ワイヤレス通信を管理するために有用な任意の既知の又は将来のアプリケーションを含み得る。アプリケーション１０３４の少なくとも幾つかは、モバイルＵＥ１００１への又はモバイルＵＥ１００１からの送信を管理するようｅＮＢ１００２に指示し得る。
【００５７】
トランシーバ１０４０は、ｅＮＢ１００２が選択的にアップリンク物理的アップリンク共用チャネル（ＰＵＳＣＨ）リソースをモバイルＵＥ１００１へ割り当てることを可能にする、アップリンク・リソース・マネージャを含む。当業者には理解され得るように、アップリンク・リソース・マネージャの構成要素は、トランシーバ１０４０の物理（ＰＨＹ）層及び／又は媒体アクセス制御（ＭＡＣ）層に関与し得る。トランシーバ１０４０は、ｅＮＢ１００２の範囲内の種々のＵＥからの送信を受け取るための少なくとも一つのレシーバ１０４２、及びｅＮＢ１００２の範囲内の種々のＵＥへデータ及び制御情報を送信するための少なくとも１つのトランスミッタ１０４４を含む。
【００５８】
アップリンク・リソース・マネージャは、トランシーバ１０４０のオペレーションを制御する命令を実行する。これらの命令の幾つかは、メモリ１０３２内に位置し得、必要とされるときプロセッサ１０３０で実行される。リソースマネージャは、ｅＮＢ１００２によりサービングされる各ＵＥ１００１に割り当てられる送信リソースを制御し、ＰＤＣＣＨを介して制御情報をブロードキャストする。
【００５９】
シンボル処理回路１０３８は、既知の手法を用いて復調を実行する。ランダムアクセス信号がシンボル処理回路１０３８内で復調される。
【００６０】
音声データ又は他のアプリケーションデータの送信及び受信の間、レシーバ１０４２は、ＵＥ１００１からランダムアクセス信号を受信し得る。ランダムアクセス信号は、ＵＥ１００１により所望とされるメッセージ寸法を要求するよう符号化される。ＵＥ１００１は、ｅＮＢ１００２により提供されるメッセージ閾値を用いることによりこの好適メッセージ寸法を決定する。この実施例において、メッセージ閾値計算は、プロセッサ１０３０によりメモリ１０３２にストアされた命令を実行することにより具現化される。他の実施例において、閾値計算は、例えば、別個のプロセッサ／メモリユニットにより、ハードワイヤード状態機械により、又は他の種類の制御ロジックにより具現化され得る。代替として、幾つかのネットワークにおいて、メッセージ閾値は、例えば、メモリ１０３２にストアされ得る固定値である。メッセージ寸法要求の受信に応答して、ｅＮＢ１００２は、リソースの適切なセットを予定し、リソースグラントと共にＵＥ１００１に通知する。
【００６１】
例示の実施例の文脈で説明したような特徴又は工程のすべて又はその幾つかを有する例示の実施例の文脈で説明した１つ又はそれ以上の特徴又は工程の異なる組み合わせを有する実施例も、本明細書に包含されることも意図している。当業者であれば、他の多くの実施例及び変形も特許請求の範囲に包含されることが理解されるであろう。
【図１】
2013524646.tif 000004
【図２】
2013524646.tif 000005
【図３】
2013524646.tif 000006
【図４】
2013524646.tif 000007
【図５】
2013524646.tif 000008
【図６】
2013524646.tif 000009
【図７】
2013524646.tif 000010
【図８】
2013524646.tif 000011
【図９】
2013524646.tif 000012
【図１０】
2013524646.tif 000013
【図１１】
2013524646.tif 000014
【図１２】
2013524646.tif 000015
【国際調査報告】
2013524646.tif 000016
2013524646.tif 000017